(57)【要約】  【課題】  映像信号の経路の異常の原因を把握することができる異常検出装置を提供する。  【解決手段】  カメラ２または外部映像出力装置３によって出力された映像信号をディスプレイ装置４に出力するための出力経路から直流信号レベルを得る異常検出回路１１と、ＣＰＵ１０とを備え、ＣＰＵ１０は、ツェナーダイオードＺＤのカソードにおける電圧値がツェナーダイオードＺＤのツェナー電圧値を含む一定の範囲内にある場合に、出力経路が天絡状態にあると判断し、出力経路における電圧値がプルアップ回路（Ｄ４、Ｒ８）によってプルアップされる電圧値を含む一定の範囲内にある場合に、出力経路が開放状態にあると判断し、平滑回路（Ｃ２、Ｄ１）の出力電圧値が予め定められた範囲内にある場合に、出力経路が正常状態にあると判断し、映像信号の電圧値がグランドレベルを含む一定の範囲内にある場合に、出力経路が地絡状態にあると判断する。【選択図】  図２
2006324995.tif 000002
【特許請求の範囲】
【請求項１】
映像出力機器によって出力された映像信号をディスプレイ装置に出力するための出力経路から得られる直流信号レベルに基づいて、前記出力経路が正常状態、開放状態、天絡状態および地絡状態のうち何れの状態にあるかを判断する経路状態判断手段を備えたことを特徴とする異常検出装置。
【請求項２】
前記経路状態判断手段は、カソードが前記出力経路側に接続されアノードがグランドに接続されたツェナーダイオードを有し、前記ツェナーダイオードのカソードにおける電圧値が前記ツェナーダイオードのツェナー電圧値を含む一定の範囲内にある場合に、前記出力経路が天絡状態にあると判断することを特徴とする請求項１に記載の異常検出装置。
【請求項３】
前記経路状態判断手段は、前記出力経路をプルアップするプルアップ回路を有し、前記出力経路における電圧値が前記プルアップ回路によってプルアップされる電圧値を含む一定の範囲内にある場合に、前記出力経路が開放状態にあると判断することを特徴とする請求項１に記載の異常検出装置。
【請求項４】
前記経路状態判断手段は、前記映像信号を平滑化する平滑回路を有し、前記平滑回路の出力電圧値が予め定められた範囲内にある場合に、前記出力経路が正常状態にあると判断することを特徴とする請求項１に記載の異常検出装置。
【請求項５】
前記経路状態判断手段は、前記映像信号の電圧値がグランドレベルを含む一定の範囲内にある場合に、前記出力経路が地絡状態にあると判断することを特徴とする請求項１に記載の異常検出装置。
【請求項６】
映像出力機器によって出力された映像信号をディスプレイ装置に出力するための出力経路から得られる直流信号レベルに基づいて、前記出力経路が正常状態、開放状態、天絡状態および地絡状態のうち何れの状態にあるかを判断する経路状態判断手段を備え、
前記経路状態判断手段は、カソードが前記出力経路側に接続されアノードがグランドに接続されたツェナーダイオードと、前記出力経路をプルアップするプルアップ回路と、前記映像信号を平滑化する平滑回路とを有し、
前記ツェナーダイオードのカソードにおける電圧値が前記ツェナーダイオードのツェナー電圧値を含む一定の範囲内にある場合に、前記出力経路が天絡状態にあると判断し、
前記出力経路における電圧値が前記プルアップ回路によってプルアップされる電圧値を含む一定の範囲内にある場合に、前記出力経路が開放状態にあると判断し、
前記平滑回路の出力電圧値が予め定められた範囲内にある場合に、前記出力経路が正常状態にあると判断し、
前記映像信号の電圧値がグランドレベルを含む一定の範囲内にある場合に、前記出力経路が地絡状態にあると判断することを特徴とする異常検出装置。
【請求項７】
映像信号を出力する映像出力機器と、
映像信号を映像出力するディスプレイ装置と、
前記映像出力機器によって出力された映像信号を前記ディスプレイ装置に映像出力させる映像信号処理装置とを備えた映像システムにおいて、
前記映像信号処理装置は、前記映像出力機器によって出力された映像信号を前記ディスプレイ装置に出力するための出力経路から得られる直流信号レベルに基づいて、前記出力経路が正常状態、開放状態、天絡状態および地絡状態のうち何れの状態にあるかを判断する経路状態判断手段を有することを特徴とする映像システム。
【発明の詳細な説明】
【技術分野】
【０００１】
本発明は、映像信号の経路の異常を検出する異常検出装置に関するものである。
【背景技術】
【０００２】
従来、映像信号の経路の異常を検出する異常検出装置としては、映像信号を表す所定ビット数のパラレル信号によって表される論理値が暗時出力値以下に設定された判定値を一定時間下回っているとき故障と判定することによって、回路構成を増大させることなくパラレル信号の入力経路のうち少なくとも一本が断線またはショートしてもこれを故障と診断できるようにしたものがある（例えば、特許文献１参照）。
【特許文献１】特開平８−１９００７号公報
【発明の開示】
【発明が解決しようとする課題】
【０００３】
しかしながら、従来の異常検出装置は、映像信号の経路の断線やショートを故障として診断できるものの、映像信号の経路の異常の原因が把握できないといった問題があった。
【０００４】
本発明は、従来の問題を解決するためになされたもので、映像信号の経路の異常の原因を把握することができる異常検出装置を提供することを目的とする。
【課題を解決するための手段】
【０００５】
本発明の異常検出装置は、映像出力機器によって出力された映像信号をディスプレイ装置に出力するための出力経路から得られる直流信号レベルに基づいて、前記出力経路が正常状態、開放状態、天絡状態および地絡状態のうち何れの状態にあるかを判断する経路状態判断手段を備えた構成を有している。
【０００６】
この構成により、本発明の異常検出装置は、映像信号の出力経路から得られる直流信号レベルに基づいて、映像信号の出力経路が正常状態、開放状態、天絡状態および地絡状態のうち何れの状態にあるかを判断するため、映像信号の経路の異常の原因を把握することができる。
【０００７】
なお、前記経路状態判断手段は、カソードが前記出力経路側に接続されアノードがグランドに接続されたツェナーダイオードを有し、前記ツェナーダイオードのカソードにおける電圧値が前記ツェナーダイオードのツェナー電圧値を含む一定の範囲内にある場合に、前記出力経路が天絡状態にあると判断するようにしてもよい。
【０００８】
また、前記経路状態判断手段は、前記出力経路をプルアップするプルアップ回路を有し、前記出力経路における電圧値が前記プルアップ回路によってプルアップされる電圧値を含む一定の範囲内にある場合に、前記出力経路が開放状態にあると判断するようにしてもよい。
【０００９】
また、前記経路状態判断手段は、前記映像信号を平滑化する平滑回路を有し、前記平滑回路の出力電圧値が予め定められた範囲内にある場合に、前記出力経路が正常状態にあると判断するようにしてもよい。
【００１０】
また、前記経路状態判断手段は、前記映像信号の電圧値がグランドレベルを含む一定の範囲内にある場合に、前記出力経路が地絡状態にあると判断するようにしてもよい。
【発明の効果】
【００１１】
本発明は、映像信号の経路の異常の原因を把握することができるといった効果を有する異常検出装置を提供することができる。
【発明を実施するための最良の形態】
【００１２】
以下、本発明の実施の形態について、図面を参照して説明する。なお、本実施の形態においては、車両に設けられ、カメラや映像受信機等の映像出力機器によって出力された映像信号をディスプレイに表示させる映像信号処理装置に、本発明の異常検出装置を適用した例について説明する。
【００１３】
本発明の一実施の形態の異常検出装置を適用した映像信号処理装置を図１に示す。
【００１４】
映像信号処理装置１には、車両後方を撮影するカメラ２と、ナビゲーション装置、テレビ放送受信機およびＤＶＤ（Digital Versatile Disc）プレーヤ等の外部映像出力装置３と、映像信号処理装置１によって処理された映像信号を映像出力するディスプレイ装置４とが接続されている。
【００１５】
カメラ２は、映像を取り込むためのレンズおよびＣＣＤ（Charged Coupled Device）センサを有し、ＣＣＤセンサの検知信号から映像信号を生成するようになっている。ここで、映像信号は、コンポジット信号、ＲＧＢ信号、ＹＵＶ信号、またはその他のフォーマットのものでもよい。
【００１６】
ディスプレイ装置４は、ブラウン管や液晶ディスプレイ等の表示部を有し、映像信号を表示部に映像出力するようになっている。
【００１７】
映像信号処理装置１は、ＣＰＵ（Central Processing Unit）１０と、カメラ２から入力された映像信号をバッファリングする第１の映像信号バッファ１２と、カメラ２から入力された映像信号から同期信号を分離する同期分離回路１３と、画像処理を行う画像処理装置１４と、外部映像出力装置３から入力された映像信号をバッファリングする第２の映像信号バッファ１５と、画像処理装置１４によって画像処理された映像信号と外部映像出力装置３から入力された映像信号とから１つの映像信号を選択する映像選択スイッチ１６と、映像選択スイッチ１６によって選択された映像信号を増幅するビデオアンプ１７と、ビデオアンプ１７からディスプレイ装置４に出力される映像信号の出力経路の異常を検出する異常検出回路１１と、ＤＲＡＭ（Dynamic Random Access Memory）１８と、フラッシュメモリ１９と、故障診断結果を記憶するためのダイアグメモリ２０と、映像信号処理装置１の各部およびカメラ２に電力を供給する図示しない電力供給部とを備えている。
【００１８】
なお、以下の説明において、映像信号の出力経路がディスプレイ装置４と正常に接続されている状態を「正常状態」といい、映像信号の出力経路が何処にも接続されていない状態を「開放状態」といい、映像信号の出力経路に電源電圧が印加されている状態を「天絡状態」といい、映像信号の出力経路がグランドに短絡している状態を「地絡状態」という。
【００１９】
ＣＰＵ１０は、図示しないＲＯＭ（Read Only Memory）等の記憶媒体に記憶されたプログラムをＤＲＡＭ１８に読み込み、ＤＲＡＭ１８に読み込まれたプログラムを実行することによって画像処理装置１４、映像選択スイッチ１６および電力供給部等の各部の動作を制御するようになっている。
【００２０】
第１の映像信号バッファ１２は、カメラ２から入力された映像信号をバッファリングすると共に、ペデスタル（輝度の基準値）を固定するようになっている。
【００２１】
同期分離回路１３は、第１の映像信号バッファ１２にバッファリングされた映像信号から同期信号を取り出すようになっている。なお、ＣＰＵ１０は、同期分離回路１３によって取り出された同期信号の周期を監視し、同期信号の周期が規定の周期と異なる場合には、映像信号が異常であると判断するようになっている。
【００２２】
画像処理装置１４は、画像処理プロセッサ等のディジタル信号処理装置によって構成され、ＣＰＵ１０による制御に基づいて、第１の映像信号バッファ１２にバッファリングされた映像信号に俯瞰処理やガイドラインの描画処理等を施すようになっている。
【００２３】
ここで、俯瞰処理は、バンパー等の車両に近い位置の湾曲した部分の映像に直線処理を施す等して、カメラ２の位置よりも上方から撮影された擬似映像を作成する処理のことをいう。また、ガイドラインの描画処理は、映像に車両の進行方向や車両からの距離を示す情報を重ね書きする処理のことをいう。
【００２４】
第２の映像信号バッファ１５は、外部映像出力装置３から入力された映像信号をバッファリングすると共に、ペデスタルを固定するようになっている。
【００２５】
映像選択スイッチ１６は、ＣＰＵ１０による制御に基づいて、画像処理装置１４によって画像処理された映像信号と外部映像出力装置３から入力された映像信号とから１つの映像信号を選択するようになっている。
【００２６】
ビデオアンプ１７は、映像選択スイッチ１６によって選択された映像信号を増幅することにより、映像信号をディスプレイ装置４側で規定された信号レベルに調整するようになっている。
【００２７】
異常検出回路１１は、ＣＰＵ１０と一体に本発明における経路状態判断手段を構成し、例えば、図２に示すように、コンデンサＣ１乃至Ｃ３と、増幅器３０と、抵抗Ｒ６乃至Ｒ９と、ダイオードＤ１乃至Ｄ４と、ツェナーダイオードＺＤとを有している。
【００２８】
コンデンサＣ１は、一端がビデオアンプ１７の出力側に接続され、他端が増幅器３０の入力側に接続されている。増幅器３０の出力側は、抵抗Ｒ６を介してコンデンサＣ２の一端に接続されている。
【００２９】
コンデンサＣ２は、アノードがグランドに接続されたダイオードＤ１のカソードに他端が接続され、ダイオードＤ１と一体に平滑回路を構成している。ダイオードＤ２は、アノードがコンデンサＣ２の他端、すなわち平滑回路の出力側に接続されている。
【００３０】
抵抗Ｒ７は、一端がビデオアンプ１７の出力側に接続され、他端がダイオードＤ３のアノードに接続されると共にアノードがグランドに接続されたツェナーダイオードＺＤのカソードに接続されている。ここで、ツェナーダイオードＺＤは、映像信号の出力経路が天絡状態にある場合に、ＣＰＵ１０がラッチアップすることを防止するよう、ＣＰＵ１０に入力される信号の電圧値をツェナーダイオードＺＤのツェナー電圧値以下に抑制するようになっている。
【００３１】
ダイオードＤ３のカソードは、ダイオードＤ２のカソードとＯＲ（論理和）接続されて、ＣＰＵ１０に接続されると共に、一端がグランドにそれぞれ接続されたコンデンサＣ３と抵抗Ｒ９との他端にそれぞれ接続されている。
【００３２】
ビデオアンプ１７の出力側は、カソードに直流電圧ＶＣＣが印加されたダイオードＤ４と、ダイオードＤ４のアノードに一端が接続された抵抗Ｒ８よりなるプルアップ回路に接続されると共に、ディスプレイ装置４の入力側に接続される。
【００３３】
図１において、ＤＲＡＭ１８には、ＣＰＵ１０に実行させるプログラムに加えて、このプログラムを実行するＣＰＵ１０や画像処理装置１４によって演算処理時に利用されるデータが一時記憶される。また、フラッシュメモリ１９には、画像処理装置１４によって使用されるパラメータ等が記憶される。
【００３４】
ダイアグメモリ２０は、ＥＥＰＲＯＭ（Electrically Erasable Programmable Read-only Memory）等の不揮発の記憶媒体によって構成され、ダイアグメモリ２０には、異常検出回路１１等によって検出された異常の状態や検出時間等の履歴がＣＰＵ１０によって記憶される。
【００３５】
なお、ＣＰＵ１０は、外部の機器と通信する図示しないインターフェイス回路や着脱可能な記憶媒体に、ダイアグメモリ２０に記憶された情報を送信するようになっている。
【００３６】
電力供給部は、ＣＰＵ１０による制御に基づいて、車両の電源から供給された電力の電圧を降圧するなどして調整し、電圧を調整した電力を映像信号処理装置１の各部やカメラ２に供給するようになっている。また、電力供給部は、ＣＰＵ１０やカメラ２のラッチアップを防ぐため、ＣＰＵ１０を作動させない時には、ＣＰＵ１０やカメラ２に供給する電力を遮断するようになっている。
【００３７】
以上のように構成された映像信号処理装置１について、その動作を説明する。
【００３８】
まず、車両のイグニッション電源やアクセサリー電源が投入されると、電力供給部によって映像信号処理装置１の各部に電力が供給され、映像信号処理装置１の各部が作動する。
【００３９】
車両のバックギアが入っていない状態等のように運転手が後方の映像を必要としない場合には、外部映像出力装置３から入力された映像信号が映像選択スイッチ１６によって選択される。外部映像出力装置３から入力された映像信号は、第２の映像信号バッファ１５および映像選択スイッチ１６を介してビデオアンプ１７に入力される。
【００４０】
一方、車両のバックギアが入っている状態等のように運転手が後方の映像を必要とする場合には、電力供給部によってカメラ２に電力が供給され、カメラ２が作動すると共に、画像処理装置１４によって画像処理された映像信号が映像選択スイッチ１６によって選択される。
【００４１】
カメラ２によって入力された映像信号は、第１の映像信号バッファ１２を介して画像処理装置１４に入力され、画像処理装置１４によって画像処理が施される。画像処理装置１４によって画像処理が施された映像信号は、映像選択スイッチ１６を介してビデオアンプ１７に入力される。
【００４２】
このようにビデオアンプ１７に入力された映像信号は、ビデオアンプ１７によって増幅され、ディスプレイ装置４に出力され、ディスプレイ装置４によって映像出力される。
【００４３】
次に、異常検出回路１１の動作について図２を参照して詳細に説明する。なお、以下の説明においては、一例として、直流電圧ＶＣＣの電圧値を３．３Ｖとし、ダイオードＤ４によって降圧される電圧値Ｖｄを０．６Ｖとし、抵抗Ｒ６の抵抗値を１ｋΩとし、抵抗Ｒ７の抵抗値を４．７ｋΩとし、抵抗Ｒ８の抵抗値を２２ｋΩとし、抵抗Ｒ９の抵抗値を１００ｋΩとし、コンデンサＣ１の容量を１μＦとし、コンデンサＣ２の容量を２．２μＦとし、コンデンサＣ３の容量を１μＦとする。
【００４４】
映像信号の出力経路が天絡状態の場合には、ツェナーダイオードＺＤによってダイオードＤ３のアノードがツェナーダイオードＺＤのツェナー電圧値、本実施の形態において３．３Ｖに抑制される。
【００４５】
したがって、映像信号の出力経路が天絡状態の場合には、ＣＰＵ１０に電圧値が３．３Ｖの信号が入力される。
【００４６】
映像信号の出力経路が開放状態の場合には、ダイオードＤ４および抵抗Ｒ８よりなるプルアップ回路によって映像信号の出力経路がプルアップされるため、ＶＣＣからダイオードＤ４によって降圧された電圧のうち抵抗Ｒ９にかかる電圧は、（ＶＣＣ−Ｖｄ）×Ｒ９÷（Ｒ７＋Ｒ８＋Ｒ９）≒２．１Ｖとなる。
【００４７】
したがって、映像信号の出力経路が開放状態の場合には、ＣＰＵ１０に電圧値が約２．１Ｖの信号が入力される。
【００４８】
映像信号の出力経路が正常状態の場合には、映像信号の出力経路が入力インピーダンス７５Ωのディスプレイ装置４に接続された状態になるため、ＣＰＵ１０に入力される信号は、増幅器３０から出力される信号に大きな影響を受け、プルアップ回路等の電圧を上昇させるものからの影響をほとんど受けない。
【００４９】
ここで、増幅器３０は、コンデンサＣ２およびダイオードＤ１よりなる平滑回路によって平滑化された映像信号の中心電圧が、略１Ｖ程度になるように設定されている。
【００５０】
したがって、映像信号の出力経路が正常状態の場合には、ＣＰＵ１０に電圧値が約１Ｖの信号が入力される。
【００５１】
映像信号の出力経路が地絡状態の場合には、映像信号がグランドレベル、すなわち０Ｖになるため、ＣＰＵ１０に電圧値が０Ｖの信号が入力される。
【００５２】
したがって、本実施の形態において、ＣＰＵ１０は、異常検出回路１１から入力された信号の電圧値が２．７Ｖ以上である場合には、映像信号の出力経路が天絡状態にあると判断し、２．７Ｖ未満かつ１．６Ｖ以上である場合には、映像信号の出力経路が開放状態にあると判断し、１．６Ｖ未満かつ０．５Ｖ以上である場合には、映像信号の出力経路が正常状態にあると判断し、０．５Ｖ未満である場合には、映像信号の出力経路が地絡状態にあると判断する。
【００５３】
このような本発明の一実施の形態の映像信号処理装置１は、異常検出回路１１からＣＰＵ１０に入力される信号の電圧値に基づいて、映像信号の出力経路が正常状態、開放状態、天絡状態および地絡状態のうち何れの状態にあるかを判断するため、映像信号の経路の異常の原因を把握することができる。
【産業上の利用可能性】
【００５４】
以上のように、本発明にかかる異常検出装置は、映像信号の経路の異常の原因を把握することができるという効果を有し、例えば、映像信号の経路の異常を検出する異常検出装置等として有用である。
【図面の簡単な説明】
【００５５】
【図１】本発明の一実施の形態における映像信号処理装置のブロック図
【図２】本発明の一実施の形態における映像信号処理装置を構成する異常検出回路の例を示すブロック図
【符号の説明】
【００５６】
１  映像信号処理装置
２  カメラ
３  外部映像出力装置
４  ディスプレイ装置
１０  ＣＰＵ
１１  異常検出回路
１２  第１の映像信号バッファ
１３  同期分離回路
１４  画像処理装置
１５  第２の映像信号バッファ
１６  映像選択スイッチ
１７  ビデオアンプ
１８  ＤＲＡＭ
１９  フラッシュメモリ
２０  ダイアグメモリ
３０  増幅器
Ｒ６、Ｒ７、Ｒ８、Ｒ９  抵抗
Ｃ１、Ｃ２、Ｃ３  コンデンサ
Ｄ１、Ｄ２、Ｄ３、Ｄ４  ダイオード
ＺＤ  ツェナーダイオード
【図１】
2006324995.tif 000003
【図２】
2006324995.tif 000004